(57)【要約】【課題】コモンモードノイズを低減するためのノイズフィルタであって、電流に依存することなくノーマルモードノイズの低減効果の低下を抑制することが可能なノイズフィルタを提供する。【解決手段】本発明の一実施形態に係るノイズフィルタ１は、第１部分１１と第２部分１２とから構成されて環状をなす第１磁性体コア部１０と、第１磁性体コア部１０によって形成される開口部を分割する第２磁性体コア部２０と、第１部分１１と第２部分１２とにそれぞれ巻回された一対の信号線３１，３２と、第２磁性体コア部２０に巻回された制御線４１とを備え、第２磁性体コア部２０には２つの貫通孔５１，５２が形成されており、第２磁性体コア部２０は、２つの貫通孔５１，５２に挟まれた中足部６１と、第１部分１１と第２部分１２との境界部間に延びる一対の共通部８０，９０とを有し、制御線４１は中足部６１に巻回されている。【選択図】図１
2009135225.tif 000002
【特許請求の範囲】
【請求項１】
環状をなしており、第１部分と第２部分とから構成された第１磁性体コア部と、
前記第１磁性体コア部によって形成される開口部を分割するように、前記第１部分と前記第２部分との境界部に結合された第２磁性体コア部と、
コモンモードノイズが入力された場合に前記第１磁性体コア部に誘起される磁束を強め合い、ノーマルモードノイズが入力された場合には前記第２磁性体コア部に誘起される磁束を強め合うように、前記第１磁性体コア部における前記第１部分と前記第２部分とにそれぞれ巻回された一対の信号線と、
前記第２磁性体コア部に巻回された制御線と、
を備え、
前記第２磁性体コア部には、２つの貫通孔が形成されており、
前記第２磁性体コア部は、前記２つの貫通孔に挟まれた中足部と、前記第１磁性体コア部における前記第１部分と前記第２部分との境界部間に延びており、前記２つの貫通孔と前記中足部とを挟むように対向する一対の共通部とを有し、
前記一対の共通部は、それぞれ、前記２つの貫通孔のうちの一方の貫通孔に沿う第１共通部分と、他方の貫通孔に沿う第２共通部分とを有し、
前記制御線は、前記第２磁性体コア部における前記中足部に巻回されている、
ノイズフィルタ。
【請求項２】
前記第２磁性体コア部における前記中足部に形成される磁路に直交する前記中足部の断面積は、前記第２磁性体コア部の前記一対の共通部のうちの一方の共通部における前記第１共通部分及び前記第２共通部分に形成される磁路に直交する前記第１共通部分及び前記第２共通部分のそれぞれの断面積より大きく、前記第２磁性体コア部の前記一対の共通部のうちの他方の共通部における前記第１共通部分及び前記第２共通部分に形成される磁路に直交する前記第１共通部分及び前記第２共通部分のそれぞれの断面積より大きい、
請求項１に記載のノイズフィルタ。
【請求項３】
前記第２磁性体コア部において、前記２つの貫通孔はそれぞれ前記第１磁性体コア部から離れた位置に形成されている、
請求項１又は２に記載のノイズフィルタ。
【請求項４】
前記一対の信号線に流れる電流を検出する電流検出回路と、
前記制御線に電流を供給すると共に、該電流を、前記電流検出回路によって検出された電流に応じて変更する電流供給回路と、
を更に備える、請求項１〜３の何れか１項に記載のノイズフィルタ。
【請求項５】
環状をなしており、第１部分と第２部分とから構成された第１磁性体コア部と、
前記第１磁性体コア部によって形成される開口部を分割するように、前記第１部分と前記第２部分との境界部に結合された第２磁性体コア部と、
コモンモードノイズが入力された場合に前記第１磁性体コア部に誘起される磁束を強め合い、ノーマルモードノイズが入力された場合には前記第２磁性体コア部に誘起される磁束を強め合うように、前記第１磁性体コア部における前記第１部分と前記第２部分とにそれぞれ巻回された一対の信号線と、
前記第２磁性体コア部に巻回されたＮ本（Ｎは２以上の整数）の制御線と、
を備え、
前記第２磁性体コア部には、Ｎ＋１個の貫通孔が形成されており、
前記第２磁性体コア部は、前記Ｎ＋１個の貫通孔のうちの隣り合う２つの貫通孔に挟まれたＮ個の中足部と、前記第１磁性体コア部における前記第１部分と前記第２部分との境界部間に延びており、前記Ｎ＋１個の貫通孔と前記Ｎ個の中足部とを挟むように対向する一対の共通部とを有し、
前記一対の共通部は、それぞれ、前記Ｎ＋１個の貫通孔のうちのｎ番目（ｎは１以上Ｎ＋１以下の整数）の貫通孔に沿うＮ＋１個の第ｎ共通部分を有し、
前記Ｎ本の制御線は、前記第２磁性体コア部における前記Ｎ個の中足部にそれぞれ巻回されている、
ノイズフィルタ。
【発明の詳細な説明】
【技術分野】
【０００１】
本発明は、ノイズフィルタに関するものである。
【背景技術】
【０００２】
コモンモードノイズ用ノイズフィルタとして、環状の磁性体コアに一対の信号線をそれぞれ巻回したノイズフィルタが知られている。この種のノイズフィルタでは、一対の信号線にコモンモードノイズが入力されると、磁性体コアに誘起される磁束が強め合い、一対の信号線にインピーダンスが発生する。その結果、コモンモードノイズが低減される。しかしながら、この種のノイズフィルタでは、ノーマルモードノイズを低減することができない。これは、一対の信号線にノーマルモードノイズが入力されると、環状の磁性体コアに誘起される磁束が打ち消し合い、一対の信号線にインピーダンスを発生することができないことによる。
【０００３】
コモンモードノイズだけでなく、ノーマルモードノイズをも低減することができるノイズフィルタとしては、日の字型の磁性体コアに一対の信号線をそれぞれ巻回したハイブリッドコイル型ノイズフィルタが知られている（特許文献１及び２参照）。例えば、ハイブリッドコイル型ノイズフィルタでは、半環状の第１部分と第２部分とから構成されて環状をなす第１磁性体コア部と、この第１磁性体コア部によって形成される孔を分割するように、第１部分と第２部分との境界部に結合された第２磁性体コア部とからなる磁性体コアにおいて、第１磁性体コア部における第１部分と第２部分とに一対の信号線がそれぞれ巻回されている。
【０００４】
この種のノイズフィルタでは、一対の信号線にノーマルモードノイズが入力されると、第１磁性体コア部における第１部分と第２部分とに誘起される磁束がそれぞれ第２磁性体コア部で迂回する。その結果、磁束が打ち消し合うことなく、一対の信号線にインピーダンスを発生することができ、ノーマルモードノイズを低減することができる。
【特許文献１】特開平４−２６２５０６号公報
【特許文献２】特開平２−２１３１０３号公報
【発明の開示】
【発明が解決しようとする課題】
【０００５】
しかしながら、ハイブリッドコイル型ノイズフィルタでは、例えば、一対の信号線が電源ラインとして使用される場合、一対の信号線に比較的大きな電流が流れるので、第２磁性体コア部において磁気飽和が発生し、ノーマルモードノイズの低減効果が低下してしまうという問題がある。
【０００６】
そこで、本発明は、コモンモードノイズを低減するためのノイズフィルタであって、一対の信号線に比較的大きな電流が流れてもノーマルモードノイズの低減効果の低下を効果的に抑制することが可能なノイズフィルタを提供することを目的としている。
【課題を解決するための手段】
【０００７】
本発明のノイズフィルタは、（ａ）環状をなしており、第１部分と第２部分とから構成された第１磁性体コア部と、（ｂ）第１磁性体コア部によって形成される開口部を分割するように、第１部分と第２部分との境界部に結合された第２磁性体コア部と、（ｃ）コモンモードノイズが入力された場合に第１磁性体コア部に誘起される磁束を強め合い、ノーマルモードノイズが入力された場合には第２磁性体コア部に誘起される磁束を強め合うように、第１磁性体コア部における第１部分と第２部分とにそれぞれ巻回された一対の信号線と、（ｄ）第２磁性体コア部に巻回された制御線と、を備え、（ｅ）第２磁性体コア部には、２つの貫通孔が形成されており、（ｆ）第２磁性体コア部は、２つの貫通孔に挟まれた中足部と、第１磁性体コア部における第１部分と第２部分との境界部間に延びており、２つの貫通孔と中足部とを挟むように対向する一対の共通部とを有し、（ｇ）一対の共通部は、それぞれ、２つの貫通孔のうちの一方の貫通孔に沿う第１共通部分と、他方の貫通孔に沿う第２共通部分とを有し、（ｈ）制御線は、第２磁性体コア部における中足部に巻回されている。
【０００８】
このノイズフィルタでは、一対の信号線にコモンモードノイズが入力されると、第１磁性体コア部に磁束が発生し、一対の信号線にインピーダンスが発生する。その結果、一対の信号線におけるコモンモードノイズを低減することができる。一方、一対の信号線にノーマルモードノイズが入力されると、第１磁性体コア部における第１部分と第２磁性体コア部における一対の共通部とに磁束が発生すると共に、第１磁性体コア部における第２部分と第２磁性体コア部における一対の共通部とに磁束が発生し、一対の信号線にインピーダンスが発生する。その結果、一対の信号線におけるノーマルモードノイズを低減することができる。
【０００９】
ところで、例えば、一対の信号線が電源ラインとして使用される場合、一対の信号線に比較的大きな直流電流又は低周波交流電流が流れるので、第２磁性体コア部における一対の共通部において磁気飽和が発生することがある。その結果、一対の信号線に発生するインピーダンスが低下し、一対の信号線におけるノーマルモードノイズの低減効果が低下してしまうことがある。
【００１０】
しかしながら、このノイズフィルタによれば、制御線に直流電流又は低周波交流電流を流すことにより、２つの貫通孔をそれぞれ包囲するように、第２磁性体コア部における一対の共通部及び中足部に磁束が発生する。その結果、例えば、一対の共通部のうちの一方の共通部における第１共通部分では、一対の信号線に流れる比較的大きな直流電流又は低周波交流電流によって誘起される磁束と、制御線に流れる直流電流又は低周波交流電流によって誘起される磁束とが打ち消し合い、一対の共通部のうちの他方の共通部における第２共通部分では、一対の信号線に流れる比較的大きな直流電流又は低周波交流電流によって誘起される磁束と、制御線に流れる直流電流又は低周波交流電流に起因する磁束とが打ち消し合う。
【００１１】
その結果、一対の信号線に流れる電流が大きく、第２磁性体コア部において磁気飽和が生じても、一方の共通部における第１共通部分及び他方の共通部における第２共通部分の磁気飽和を抑制することができる。したがって、一方の共通部における第１共通部分、中足部、他方の共通部における第２共通部分を経路とする非飽和磁路を形成することができ、一対の信号線に流れる電流が大きくても、一対の信号線に発生するインピーダンスの低下を抑制することができる。その結果、一対の信号線におけるノーマルモードノイズの低減効果の低下を抑制することができる。
【００１２】
上記した第２磁性体コア部における中足部に形成される磁路に直交する中足部の断面積は、第２磁性体コア部の一対の共通部のうちの一方の共通部における第１共通部分及び第２共通部分に形成される磁路に直交する第１共通部分及び第２共通部分のそれぞれの断面積より大きく、第２磁性体コア部の一対の共通部のうちの他方の共通部における第１共通部分及び第２共通部分に形成される磁路に直交する第１共通部分及び第２共通部分のそれぞれの断面積より大きいことが好ましい。
【００１３】
この構成によれば、中足部において磁気飽和が生じる前に、一対の共通部における第１共通部分及び第２共通部分に発生する磁束の打ち消し効果を適切に得ることができる。
【００１４】
上記した第２磁性体コア部において、２つの貫通孔はそれぞれ第１磁性体コア部から離れた位置に形成されていることが好ましい。
【００１５】
この構成によれば、第２磁性体コア部において２つの貫通孔のそれぞれから第１磁性体コア部までには、突出部がそれぞれ形成される。制御線に流れる電流によって誘起される磁束は、この突出部を通ることによって、第１磁性体コア部を通ることがないので、制御線に流れる電流によって誘起される磁束が第１磁性体コア部に発生する磁束に影響を与えることがない。
【００１６】
上記したノイズフィルタは、一対の信号線に流れる電流を検出する電流検出回路と、制御線に電流を供給すると共に、該電流を、電流検出回路によって検出された電流に応じて変更する電流供給回路とを更に備えることが好ましい。
【００１７】
この構成によれば、一対の信号線に流れる電流に応じて、制御線に流す電流を制御することができるので、第２磁性体コア部の一対の共通部における適切な磁束の打ち消しを自立的に行うことができると共に、中足部における磁気飽和の適切な防止を自立的におこなうことができる。
【００１８】
本発明の別のノイズフィルタは、（ａ）環状をなしており、第１部分と第２部分とから構成された第１磁性体コア部と、（ｂ）第１磁性体コア部によって形成される開口部を分割するように、第１部分と第２部分との境界部に結合された第２磁性体コア部と、（ｃ）コモンモードノイズが入力された場合に第１磁性体コア部に誘起される磁束を強め合い、ノーマルモードノイズが入力された場合には第２磁性体コア部に誘起される磁束を強め合うように、第１磁性体コア部における第１部分と第２部分とにそれぞれ巻回された一対の信号線と、（ｄ）第２磁性体コア部に巻回されたＮ本（Ｎは２以上の整数）の制御線と、を備え、（ｅ）第２磁性体コア部には、Ｎ＋１個の貫通孔が形成されており、（ｆ）第２磁性体コア部は、Ｎ＋１個の貫通孔のうちの隣り合う２つの貫通孔に挟まれたＮ個の中足部と、第１磁性体コア部における第１部分と第２部分との境界部間に延びており、Ｎ＋１個の貫通孔とＮ個の中足部とを挟むように対向する一対の共通部とを有し、（ｇ）一対の共通部は、それぞれ、Ｎ＋１個の貫通孔のうちのｎ番目（ｎは１以上Ｎ＋１以下の整数）の貫通孔に沿うＮ＋１個の第ｎ共通部分を有し、Ｎ本の制御線は、第２磁性体コア部におけるＮ個の中足部にそれぞれ巻回されている。
【００１９】
このノイズフィルタによれば、Ｎ本の制御線にそれぞれ直流電流又は低周波交流電流を流すことにより、Ｎ＋１個の貫通孔をそれぞれ包囲するように、第２磁性体コア部の一対の共通部及びＮ個の中足部にそれぞれ磁束が発生する。その結果、例えば、一対の共通部のうちの一方の共通部の第２ｎ−１共通部分では、一対の信号線に流れる比較的大きな直流電流又は低周波交流電流によって誘起される磁束と、制御線に流れる直流電流又は低周波交流電流によって誘起される磁束とが打ち消し合い、一対の共通部のうちの他方の共通部の第２ｎ共通部分では、一対の信号線に流れる比較的大きな直流電流又は低周波交流電流によって誘起される磁束と、制御線に流れる直流電流又は低周波交流電流に起因する磁束とが打ち消し合う。
【００２０】
その結果、一対の信号線に流れる電流が大きく、第２磁性体コア部において磁気飽和が生じても、一方の共通部の第２ｎ−１共通部分及び他方の共通部の第２ｎ共通部分の磁気飽和を抑制することができる。すなわち、一方の共通部と他方の共通部とでは、交互に共通部分の磁気飽和を抑制することができる。したがって、一方の共通部の第２ｎ−１共通部分、ｎ番目の中足部、他方の共通部の第２ｎ共通部分のジグザグ経路を経路とする非飽和磁路を形成することができ、一対の信号線に流れる電流が大きくても、一対の信号線に発生するインピーダンスの低下を抑制することができる。その結果、一対の信号線におけるノーマルモードノイズの低減効果の低下を抑制することができる。
【発明の効果】
【００２１】
本発明によれば、コモンモードノイズを低減するためのノイズフィルタにおいて、一対の信号線に比較的大きな電流が流れてもノーマルモードノイズの低減効果の低下を効果的に抑制することができる。
【発明を実施するための最良の形態】
【００２２】
以下、図面を参照して本発明の好適な実施形態について詳細に説明する。なお、各図面において同一又は相当の部分に対しては同一の符号を附すこととする。
［第１の実施形態］
【００２３】
図１は、本発明の第１の実施形態に係るノイズフィルタを示す斜視図であり、図２は、図１におけるII−II線に沿う断面図である。図１及び図２に示すノイズフィルタ１は、第１磁性体コア部１０と、第２磁性体コア部２０と、一対の信号線３１，３２と、制御線４１とを備えている。
【００２４】
第１磁性体コア部１０は、環状をなしており、略コの字状（半環状）の第１部分１１と略コの字状（半環状）の第２部分１２とから構成されている。本実施形態では、第１磁性体コア部１０はコモンモード用閉磁路１５を形成することとなる（矢印は磁束の向きを表す）。
【００２５】
第２磁性体コア部２０は、略Ｉの字状をなしており、第１磁性体コア部１０によって形成される開口部を分割するように、第１部分１１と第２部分１２との境界部に結合されている。第２磁性体コア部２０には、２つの貫通孔５１，５２が形成されている。
【００２６】
第２磁性体コア部２０は、中足部６１と、突出部７１，７２と、一対の共通部８０，９０とを有している。中足部６１は、２つの貫通孔５１，５２との間に位置している。少なくとも中足部６１の材料には、強磁性体が用いられる。本実施形態では、２つの貫通孔５１，５２は、それぞれ、第１磁性体コア部１０から離れた位置に形成されている。具体的には、第２磁性体コア部２０における貫通孔５１，５２を形成する内面であって、中足部６１と反対側の内面５１ａ，５２ａは、第１磁性体コア部１０の内面１０ａより突出している。このようにして、第１磁性体コア部１０の内面１０ａから、第２磁性体コア部２０における貫通孔５１，５２を形成する内面５１ａ，５２ａまでには、突出部７１，７２がそれぞれ位置する。
【００２７】
一対の共通部８０，９０は、第１磁性体コア部１０における第１部分１１と第２部分１２との２つの境界部であって、第１磁性体コア部１０によって形成される開口部を挟んで対向する境界部間に延びており、２つの貫通孔５１，５２と、中足部６１と、突出部７１，７２とを挟むように対向して位置している。共通部８０は、２つの貫通孔５１，５２のうちの一方の貫通孔５１に沿う第１共通部分８１と、他方の貫通孔５２に沿う第２共通部分８２とを有しており、共通部９０は、一方の貫通孔５１に沿う第１共通部分９１と、他方の貫通孔５２に沿う第２共通部分９２とを有している。
【００２８】
本実施形態では、第２磁性体コア部２０における一対の共通部８０，９０と第１磁性体コア部１０における第１部分１１とは、ノーマルモード用の第１閉磁路１６を形成することとなり（矢印は磁束の向きを表す）、第２磁性体コア部２０における一対の共通部８０，９０と第１磁性体コア部１０における第２部分１２とは、ノーマルモード用の第２閉磁路１７を形成することとなる（矢印は磁束の向きを表す）。
【００２９】
また、本実施形態では、貫通孔５１を囲うように、中足部６１と、第２磁性体コア部２０の共通部８０における第１共通部分８１と、突出部７１と、第２磁性体コア部２０の共通部９０における第１共通部分９１とは、ノーマルモード用の第３閉磁路１８を形成することとなる（矢印は磁束の向きを表す）。同様に、貫通孔５２を囲うように、中足部６１と、第２磁性体コア部２０の共通部８０における第２共通部分８２と、突出部７２と、第２磁性体コア部２０の共通部９０における第２共通部分９２とも、ノーマルモード用の第３閉磁路１８を形成することとなる（矢印は磁束の向きを表す）。この第３閉磁路１８は、第１閉磁路１６及び第２閉磁路１７に対して直交磁路となっている。
【００３０】
また、本実施形態では、中足部６１に形成される第３閉磁路１８に直交する中足部６１の断面積は、第１共通部分８１及び第２共通部分８２に形成される第１及び第２閉磁路１６，１７に直交する第１共通部分８１及び第２共通部分８２のそれぞれの断面積より大きく、第１共通部分９１及び第２共通部分９２に形成される第１及び第２閉磁路１６，１７に直交する第１共通部分９１及び第２共通部分９２のそれぞれの断面積より大きい。
【００３１】
好ましくは、中足部６１の断面積は、第１共通部分８１及び第２共通部分８２のそれぞれの断面積の２倍以上であることが好ましく、第１共通部分９１及び第２共通部分９２のそれぞれの断面積の２倍以上であることが好ましい。
【００３２】
また、本実施形態では、突出部７１に形成される第３閉磁路１８に直交する突出部７１の断面積は、第１共通部分８１、９１の断面積より大きく、突出部７２に形成される第３閉磁路１８に直交する突出部７２の断面積は、第２共通部分８２、９２の断面積より大きい。
【００３３】
信号線３１は、第１磁性体コア部１０における第１部分１１に巻回されており、信号線３２は、第１磁性体コア部１０における第２部分１２に巻回されている。本実施形態では、一対の信号線３１，３２は、コモンモードノイズが入力された場合に第１磁性体コア部１０に誘起される磁束を強め合い、ノーマルモードノイズが入力された場合には第２磁性体コア部２０に誘起される磁束を強め合うように、第１磁性体コア部１０に巻回されている。
【００３４】
制御線４１は、第２磁性体コア部２０における中足部６１に巻回されている。
【００３５】
次に、第１の実施形態のノイズフィルタ１の動作を説明する。まず、一対の信号線３１，３２の一端３１ａ，３２ａにコモンモードノイズが入力されると、第１磁性体コア部１０に、すなわちコモンモード用閉磁路１５に磁束が発生し、一対の信号線３１，３２にインピーダンスが発生する。その結果、一対の信号線３１，３２におけるコモンモードノイズが低減されることとなる。
【００３６】
一方、信号線３１の一端３１ａと信号線３２の他端３２ｂにノーマルモードノイズが入力されると、第１磁性体コア部１０における第１部分１１と第２磁性体コア部２０における一対の共通部８０，９０とに、すなわち第１閉磁路に磁束が発生すると共に、第１磁性体コア部１０における第２部分１２と第２磁性体コア部２０における一対の共通部８０，９０とに、すなわち第２閉磁路に磁束が発生する。その結果、一対の信号線３１，３２にインピーダンスが発生し、一対の信号線３１，３２におけるノーマルモードノイズが低減されることとなる。
【００３７】
ところで、例えば、一対の信号線３１，３２が電源ラインとして使用される場合、一対の信号線３１，３２に比較的大きな直流電流又は低周波交流電流が流れるので、第２磁性体コア部２０の一対の共通部８０，９０において磁気飽和が発生することがある。その結果、一対の信号線３１，３２に発生するインピーダンスが低下し、一対の信号線３１，３２におけるノーマルモードノイズの低減効果が低下してしまうことがある。
【００３８】
そこで、第１の実施形態のノイズフィルタ１では、制御線４１の一端４１ａから他端４１ｂに直流電流又は低周波交流電流を流すことによって、第２磁性体コア部２０の一対の共通部８０，９０における磁気飽和を抑制することができる。
【００３９】
以下では、その動作を、図３及び図４を参照しながら詳細に説明する。図３は、第２磁性体コア部における磁気飽和状態を示す図であり、図４は、制御線に流す電流に対する一対の信号線のノーマルモードノイズの減衰量を示す図である。
【００４０】
図３における条件としては、一対の信号線３１，３２に比較的大きな電流が流れており、第２磁性体コア部２０の一対の共通部８０，９０において磁気飽和が生じていることとする。図３（ａ）には、制御線４１に電流値Ｉａ＝０Ａ、すなわち電流を流さないときの磁気飽和状態が示されており、図３（ｂ）には、制御線４１に電流値Ｉｂの電流を流したときの磁気飽和状態が示されている。図３（ｃ）には、制御線４１に電流値Ｉｃの電流を流したときの磁気飽和状態が示されており、図３（ｄ）には、制御線４１に電流値Ｉｄの電流を流したときの磁気飽和状態が示されている。なお、それぞれの電流値の関係は、図４に示すように、Ｉａ＜Ｉｂ＜Ｉｃ＜Ｉｄである。図３では、磁気飽和の度合いをグレースケールの濃淡で表しており、黒色になるほど磁気飽和の度合いが大きいことを表している。
【００４１】
図３（ａ）によれば、第２磁性体コア部２０の一対の共通部８０，９０における第１共通部分８１，９１と第２共通部分８２，９２とでは、一対の信号線３１，３２に流れる比較的大きな電流に起因して、磁気飽和が生じていることがわかる。例えば、磁気飽和は、磁壁移動及び磁化ベクトルの回転により生じる。その結果、図４に示すように、一対の信号線３１，３２におけるノーマルモードノイズの減衰量が低下することとなる。
【００４２】
この状態において、制御線４１に電流値Ｉｂの電流を流すと、図３（ｂ）に示すように、共通部８０における第１共通部分８１と共通部９０における第２共通部分９２とにおいて、磁気飽和度合いが低下していることがわかる。これは、第１共通部分８１と第２共通部分９２とでは、制御線４１に流れる電流によって誘起される磁束の向きが一対の信号線３１，３２に流れる電流によって誘起される磁束の向きと反対であるので、これらの磁束が互いに打ち消し合うことによる。その結果、共通部８０における第１共通部分８１、中足部６１、共通部９０における第２共通部分９２を経路とする非飽和磁路が形成されることとなり、図４に示すように、一対の信号線３１，３２におけるノーマルモードノイズの減衰量が増加することとなる。
【００４３】
更に制御線４１に流す電流を増加し、電流値Ｉｃとすると、図３（ｃ）に示すように、共通部８０における第１共通部分８１と共通部９０における第２共通部分９２とにおいて、制御線４１に流れる電流によって誘起される磁束によって、一対の信号線３１，３２に流れる電流によって誘起される磁束が略完全に打ち消されることとなる。これによって、図４に示すように、一対の信号線３１，３２におけるノーマルモードノイズの減衰量が略最大となる。
【００４４】
更に制御線４１に流す電流を増加し、電流値Ｉｄとすると、図３（ｄ）に示すように、共通部８０における第１共通部分８１と共通部９０における第２共通部分９２とにおいて、磁気飽和度合いが増加していることがわかる。これは、第１共通部分８１と第２共通部分９２とでは、制御線４１に流れる電流によって誘起される磁束が増加し、この磁束に起因して磁気飽和の度合いが増加することによる。また、中足部６１においても、磁気飽和が生じていることがわかる。これは、中足部６１でも、制御線４１に流れる電流によって誘起される磁束に起因して磁気飽和が生じることによる。その結果、図４に示すように、一対の信号線３１，３２におけるノーマルモードノイズの減衰量が低下することとなる。
【００４５】
このように、第１の実施形態のノイズフィルタ１によれば、制御線４１に直流電流又は低周波交流電流を流すことにより、２つの貫通孔５１，５２をそれぞれ包囲するように、中足部６１と、第２磁性体コア部２０における一対の共通部８０，９０と、突出部７１，７２とに磁束が発生する。すると、一対の共通部８０，９０のうちの一方の共通部８０の第１共通部分８１では、一対の信号線３１，３２に流れる比較的大きな電流に起因する磁束と、制御線４１に流れる直流電流又は低周波交流電流に起因する磁束とが打ち消し合い、一対の共通部８０，９０のうちの他方の共通部９０の第２共通部分９２では、一対の信号線３１，３２に流れる比較的大きな電流に起因する磁束と、制御線４１に流れる直流電流又は低周波交流電流に起因する磁束とが打ち消し合う。
【００４６】
その結果、一対の信号線３１，３２に流れる電流が大きく、第２磁性体コア部２０において磁気飽和が生じても、一方の共通部８０の第１共通部分８１及び他方の共通部９０の第２共通部分９２における磁気飽和を抑制することができる。したがって、一方の共通部８０の第１共通部分８１と、中足部６１と、他方の共通部９０の第２共通部分９２とを経路とする非飽和磁路を形成することができ、一対の信号線３１，３２に流れる電流が大きくても、一対の信号線３１，３２に発生するインピーダンスの低下を抑制することができる。その結果、一対の信号線３１，３２におけるノーマルモードノイズの低減効果の低下を抑制することができる。
【００４７】
また、第１の実施形態のノイズフィルタ１によれば、第２磁性体コア部２０にギャップを設けることがないので、漏れ磁束が発生することがない。したがって、一対の信号線３１，３２に流れる電流が小さい場合にも、ノーマルモードノイズの低減効果の低下を防止することができる。また、ギャップに起因する放射ノイズを防止することができると共に、外来ノイズによる影響を防止することができる。
【００４８】
また、第１の実施形態のノイズフィルタ１によれば、中足部の断面積が、第２磁性体コア部２０の一方の共通部８０における第１共通部分８１及び第２共通部分８２のそれぞれの断面積より大きく、第２磁性体コア部２０の他方の共通部９０における第１共通部分９１及び第２共通部分９２のそれぞれの断面積より大きいので、中足部６１において磁気飽和が生じる前に、一方の共通部８０における第１共通部分８１及び他方の共通部９０における第２共通部分９２に発生する磁束の打ち消し効果を適切に得ることができる。
【００４９】
なお、中足部の断面積が、第１共通部分８１及び第２共通部分８２のそれぞれの断面積の２倍以上であり、第１共通部分９１及び第２共通部分９２のそれぞれの断面積の２倍以上であれば、中足部６１において磁気飽和が生じる前に、第１共通部分８１及び第２共通部分９２に発生する磁束を略完全に打ち消し合うことができ、より大きな磁束の打ち消し効果を得ることができる。
【００５０】
また、第１の実施形態のノイズフィルタ１によれば、第２磁性体コア部２０における貫通孔５１，５２を形成する内面であって、中足部６１と反対側の内面５１ａ，５２ａは、第１磁性体コア部１０の内面１０ａより突出している。すなわち、第１磁性体コア部１０の内面１０ａから、第２磁性体コア部２０における貫通孔５１，５２を形成する内面５１ａまでには、突出部７１，７２がそれぞれ形成されている。制御線４１に流れる電流によって誘起される磁束は、この突出部７１，７２を通ることによって、第１磁性体コア部１０を通ることがないので、制御線４１に流れる電流によって誘起される磁束が第１磁性体コア部１０に発生する磁束に影響を与えることがない。
【００５１】
第３閉磁路１８が第１閉磁路１６及び第２閉磁路１７に直交していないと、第３閉磁路１８に発生する磁束がコモンモード用閉磁路１５に漏れて、コモンモード用閉磁路１５に発生する磁束に影響を及ぼす可能性があるが、第１の実施形態のノイズフィルタ１によれば、第３閉磁路１８に発生する磁束は突出部７１，７２を通るので、コモンモード用閉磁路１５に発生する磁束に影響を及ぼすことがない。
【００５２】
また、第１の実施形態のノイズフィルタ１によれば、制御線４１が、一対の信号線３１，３２に起因する磁束が発生する第２磁性体コア部２０における一対の共通部８０，９０以外の中足部６１に巻回されているので、一対の信号線３１，３２に流れる電流に応じた電流が制御線４１に流れることがない。したがって、制御線４１に電流を供給するための電流供給回路が、一対の信号線３１，３２に流れる電流に起因して破損することを防止することができる。
【００５３】
次に、第１の実施形態のノイズフィルタ１の作用効果を検証する。図５は、ノイズフィルタのノーマルモードノイズの低減効果を測定するための測定系を示す図であり、図６は、ノイズフィルタのノーマルモードノイズの低減効果の測定結果を示す図である。
【００５４】
図５に示す測定系１００は、供給電源１０１からの直流電流又は低周波交流電流に、パルス発生回路１０２からの高周波信号（ノーマルモードノイズに相当）を、ＤＣカット用容量素子１０３，１０４を介して重畳し、ノイズフィルタ１の一対の信号線３１，３２に入力する。ノイズフィルタ１の制御線４１には可変電流源１０５が接続されている。ノイズフィルタ１の出力端子は、ローパスフィルタ１０６及び負荷抵抗１０７が並列に接続されている。本実験では、このローパスフィルタ１０６の出力信号を、スペクトルアナライザ１０８を用いて測定したものである。
【００５５】
図６（ｂ）における曲線Ａには、第１の実施形態のノイズフィルタ１を用いない場合のノーマルモードノイズのレベルを測定した結果が示されており、曲線Ｂには、第１の実施形態のノイズフィルタ１において、一対の信号線３１，３２及び制御線４１に電流を流さない場合のノーマルモードノイズのレベルを測定した結果が示されている。また、図６（ａ）における曲線Ｃには、第１の実施形態のノイズフィルタ１において、一対の信号線３１，３２に０．７５Ａの電流を流し、制御線４１には電流を流さない場合のノーマルモードノイズのレベルを測定した結果が示されており、曲線Ｄには、第１の実施形態のノイズフィルタ１において、一対の信号線３１，３２及び制御線４１にそれぞれ０．７５Ａの電流を流した場合のノーマルモードノイズのレベルを測定した結果が示されている。
【００５６】
本実験では、ノイズフィルタ１における第１磁性体コア部１０及び第２磁性体コア部２０の材料には、Ｍｎ−Ｚｎフェライト（初透磁率μｉ＝７５００）を用いた。一対の信号線３１，３２としてはＵＥＷ０．７ｍｍが用いられ、巻き数は３０ターンとした。制御線４１としてはＵＥＷ０．４５ｍｍが用いられ、巻き数は１９ターンとした。
【００５７】
図６（ｂ）における曲線Ａ，Ｂによれば、一対の信号線３１，３２に電流が流れていない場合、第１の実施形態のノイズフィルタ１によって、ノーマルモードノイズが低減されていることがわかる。これは、一対の信号線３１，３２に入力されるノーマルモードノイズによって誘起される磁束が、第２磁性体コア部２０の一対の共通部８０，９０において強め合い、一対の信号線３１，３２にインピーダンスが発生したことによるものと考えられる。
【００５８】
一方、図６（ａ）における曲線Ｃによれば、一対の信号線３１，３２に比較的大きな電流が流れ、第２磁性体コア部２０の一対の共通部８０，９０において磁気飽和が発生している場合、ノーマルモードノイズの低減効果が低下してしまう。しかしながら、曲線Ｄによれば、制御線４１に電流を流すことによって、ノーマルモードノイズの低減効果の低下を抑制できることがわかる。これは、制御線４１に流れる電流によって誘起される磁束によって、一対の信号線３１，３２に流れる比較的大きな電流に起因して一方の共通部８０の第１共通部分８１及び他方の共通部９０の第１共通部分９１に発生する磁束を打ち消し、一方の共通部８０の第１共通部分８１と、中足部６１と、他方の共通部９０の第２共通部分９２とを経路とする非飽和磁路を形成できることによる。なお、ここでは、一対の信号線３１，３２および制御線４１の巻数等が異なっているので同じ電流値の電流を流しても一方の共通部８０の第１共通部分８１及び他方の共通部９０の第１共通部分９１に発生する磁束が完全に打ち消されていないため、３〜５ｄＢ程度の改善効果しか得られていないが、制御線４１に流す電流を制御して一方の共通部８０の第１共通部分８１及び他方の共通部９０の第１共通部分９１に発生する磁束を完全に打ち消すようにすれば、より顕著な差が見込まれる。
［第２の実施形態］
【００５９】
図７は、本発明の第２の実施形態に係るノイズフィルタ１Ａを示す斜視図であり、図８は、図７におけるVIII−VIII線に沿う断面図である。図７及び図８に示すように、ノイズフィルタ１Ａは、ノイズフィルタ１において第２磁性体コア部２０に代えて第２磁性体コア部２０Ａを備えており、更に制御線４２を備えている構成において第１の実施形態と異なっている。
【００６０】
第２磁性体コア部２０Ａは、３つの貫通孔５１，５２，５３が形成されている点において第２磁性体コア部２０と異なっている。
【００６１】
第２磁性体コア部２０Ａは、２つの中足部６１，６２と、突出部７１，７２と、一対の共通部８０，９０とを有している。中足部６１は、３つの貫通孔５１，５２，５３のうちの隣り合う２つの貫通孔５１，５２との間に位置しており、中足部６２は、３つの貫通孔５１，５２，５３のうちの隣り合う２つの貫通孔５２，５３との間に位置している。少なくとも中足部６１，６２の材料には、強磁性体が用いられる。本実施形態では、貫通孔５１，５３は、それぞれ、第１磁性体コア部１０から離れた位置に形成されている。具体的には、第２磁性体コア部２０Ａにおける貫通孔５１，５３を形成する内面であって、中足部６１，６２と反対側の内面５１ａ，５３ａは、第１磁性体コア部１０の内面１０ａより突出している。このようにして、第１磁性体コア部１０の内面１０ａから、第２磁性体コア部２０における貫通孔５１，５３を形成する内面５１ａ，５３ａまでには、突出部７１，７２がそれぞれ位置する。
【００６２】
一対の共通部８０，９０は、第１磁性体コア部１０における第１部分１１と第２部分１２との２つの境界部であって、第１磁性体コア部１０によって形成される開口部を挟んで対向する境界部間に延びており、３つの貫通孔５１，５２，５３と、２つの中足部６１，６２と、突出部７１，７２とを挟むように対向して位置している。共通部８０は、３つの貫通孔５１，５２，５３のうちの貫通孔５１に沿う第１共通部分８１と、貫通孔５２に沿う第２共通部分８２と、貫通孔５３に沿う第３共通部分８３とを有しており、共通部９０は、貫通孔５１に沿う第１共通部分９１と、貫通孔５２に沿う第２共通部分９２と、貫通孔５３に沿う第３共通部分９３とを有している。
【００６３】
本実施形態では、第２磁性体コア部２０Ａにおける一対の共通部８０，９０と第１磁性体コア部１０における第１部分１１とは、ノーマルモード用の第１閉磁路１６を形成することとなり（矢印は磁束の向きを表す）、第２磁性体コア部２０Ａにおける一対の共通部８０，９０と第１磁性体コア部１０における第２部分１２とは、ノーマルモード用の第２閉磁路１７を形成することとなる（矢印は磁束の向きを表す）。
【００６４】
また、本実施形態では、貫通孔５１を囲うように、中足部６１と、第２磁性体コア部２０Ａの共通部８０における第１共通部分８１と、突出部７１と、第２磁性体コア部２０Ａの共通部９０における第１共通部分９１とは、ノーマルモード用の第３閉磁路１８を形成することとなる（矢印は磁束の向きを表す）。同様に、貫通孔５２を囲うように、中足部６１と、第２磁性体コア部２０Ａの共通部８０における第２共通部分８２と、中足部６２と、第２磁性体コア部２０の共通部９０における第２共通部分９２とも、ノーマルモード用の第３閉磁路１８を形成することとなる（矢印は磁束の向きを表す）。同様に、貫通孔５３を囲うように、中足部６２と、第２磁性体コア部２０Ａの共通部８０における第３共通部分８３と、突出部７２と、第２磁性体コア部２０Ａの共通部９０における第３共通部分９３とも、ノーマルモード用の第３閉磁路１８を形成することとなる（矢印は磁束の向きを表す）。
【００６５】
また、本実施形態では、中足部６１，６２に形成される第３閉磁路１８に直交する中足部６１，６２の断面積は、それぞれ、第１共通部分８１、第２共通部分８２及び第３共通部分８３に形成される第１及び第２閉磁路１６，１７に直交する第１共通部分８１、第２共通部分８２及び第３共通部分８３のそれぞれの断面積より大きく、第１共通部分９１、第２共通部分９２及び第３共通部分９３に形成される第１及び第２閉磁路１６，１７に直交する第１共通部分９１、第２共通部分９２及び第３共通部分９３のそれぞれの断面積より大きい。
【００６６】
好ましくは、中足部６１，６２の断面積は、それぞれ、第１共通部分８１、第２共通部分８２及び第３共通部分８３のそれぞれの断面積の２倍以上であることが好ましく、第１共通部分９１、第２共通部分９２及び第３共通部分９３のそれぞれの断面積の２倍以上であることが好ましい。
【００６７】
また、本実施形態では、突出部７１に形成される第３閉磁路１８に直交する突出部７１の断面積は、第１共通部分８１、９１の断面積より大きく、突出部７２に形成される第３閉磁路１８に直交する突出部７２の断面積は、第３共通部分８３、９３の断面積より大きい。
【００６８】
制御線４１，４２は、第２磁性体コア部２０Ａにおける中足部６１，６２にそれぞれ巻回されている。
【００６９】
この第２の実施形態のノイズフィルタ１Ａでも、一方の共通部８０の第１共通部分８１、第１中足部６１、他方の共通部９０の第２共通部分９２、第２中足部６２、一方の共通部８０の第３共通部分９３に非飽和磁路を形成することができ、第１の実施形態のノイズフィルタ１と同様の利点を得ることができる。
［第３の実施形態］
【００７０】
図９は、本発明の第３の実施形態に係るノイズフィルタ１Ｂを示す図である。図９に示すノイズフィルタ１Ｂは、第１の実施形態のノイズフィルタ１と、電流検出部と、電流供給部とを備えている。なお、図９では、第３の実施形態のノイズフィルタ１Ｂを電源装置に適用した一例を示している。
【００７１】
まず、電源装置２００について説明する。電源装置２００の入力端子は供給電源２０１に接続されており、電源装置２００の出力端子は負荷２０２に接続されている。電源装置２００は、例えば、供給電源２０１から受ける直流電力を電圧レベル変換して、負荷２０２に供給する。電源装置２００としては、コンバータやインバータなどのスイッチング電源などが用いられる。電源装置２００と供給電源２０１との間には、第１の実施形態のノイズフィルタ１が挿入されている。
【００７２】
次に、第３の実施形態のノイズフィルタ１Ｂについて説明する。電流検出回路２１０は、一対の信号線３１，３２に流れる電流を検出するために、電源装置２００の出力電流を検出し、検出した電流に応じた検出信号を電流供給回路２１１へ供給する。
【００７３】
電流供給回路２１１は、制御線４１に電流を供給すると共に、この電流を、電流検出回路２１０からの検出信号に応じて変更する。この電流供給回路２１１は、コントローラ２１２と電流増幅回路２１３とを有している。コントローラ２１２は電流検出回路２１０からの検出信号に応じた制御信号を電流増幅回路２１３へ出力する。電流増幅回路２１３は、コントローラ２１２からの制御信号に応じて、制御線４１に電流を供給する。
【００７４】
図１０は、電流増幅回路を示す回路図である。電流増幅回路２１３は、トランジスタ２１４を有している。トランジスタ２１４のベースには、抵抗素子２１５を介して、コントローラ２１２からの制御信号が入力される。トランジスタ２１４のコレクタは、抵抗素子２１６を介して高電位側の電源に接続されており、トランジスタ２１４のエミッタは、低電位側の電源に接続されている。そして、抵抗素子２１６と高電位側の電源との間の端子２１７，２１８間に、制御線４１を直列に接続することによって、トランジスタ２１４によって増幅された電流が制御線４１に供給されることとなる。
【００７５】
このように、第３の実施形態のノイズフィルタ１Ｂによれば、一対の信号線３１，３２に流れる電流に応じて、制御線４１に流す電流を制御することができるので、第２磁性体コア部２０の一対の共通部８０，９０における適切な磁束の打ち消しを自立的に行うことができると共に、中足部６１における磁気飽和の適切な防止を自立的におこなうことができる。
【００７６】
なお、本発明は上記した本実施形態に限定されることなく種々の変形が可能である。
【００７７】
本実施形態では、第２磁性体コア部２０，２０Ａにギャップを設けてもよい。図１１〜１３は、変形例に係るノイズフィルタの断面図であって、図１に示すII−II線に沿う断面図である。図１１に示すように、貫通孔５１，５２の間において、一対の共通部８０，９０が延びる方向に直交する方向に、一対の共通部８０，９０及び中足部６１にギャップＧを設けてもよいし、図１２に示すように、貫通孔５１と第１磁性体コア部１０との間において、一対の共通部８０，９０が延びる方向に直交する方向に、一対の共通部８０，９０及び突出部７１にギャップＧを設けてもよいし、貫通孔５２と第１磁性体コア部１０との間において、一対の共通部８０，９０が延びる方向に直交する方向に、一対の共通部８０，９０及び突出部７２にギャップＧを設けてもよい。また、図１３に示すように、貫通孔５１，５２の間において、一対の共通部８０，９０が延びる方向に、中足部６１にギャップＧを設けてもよい。
【００７８】
本実施形態では、制御線４１に流れる電流によって誘起される磁束によって、第２磁性体コア部２０における磁気飽和を抑制することができるので、ギャップＧの間隔が狭くても、一対の信号線に比較的大きな電流が流れる場合に、一対の信号線におけるノーマルモードノイズの低減効果を十分に得ることができる。このように、本実施形態では、ギャップＧを設ける場合であっても、ギャップＧの間隔を狭くすることができ、漏れ磁束を低減することができる。その結果、一対の信号線に流れる電流が小さい場合にも、ノーマルモードノイズの低減効果の低下を抑制することができる。
【００７９】
また、第２の実施形態では、第２磁性体コア部２０は３つの貫通孔を有し、２つの中足部にそれぞれ制御線が巻回されていたが、第２磁性体コア部２０は４つ以上の貫通孔を有し、３つ以上の中足部にそれぞれ制御線が巻回されていてもよい。
【００８０】
例えば、第２磁性体コア部には、Ｎ＋１個の貫通孔が形成されており、第２磁性体コア部は、Ｎ＋１個の貫通孔のうちの隣り合う２つの貫通孔に挟まれたＮ個の中足部と、第１磁性体コア部における第１部分と第２部分との境界部間に延びており、Ｎ＋１個の貫通孔とＮ個の中足部とを挟むように対向する一対の共通部とを有する。この一対の共通部は、それぞれ、Ｎ＋１個の貫通孔のうちのｎ番目（ｎは１以上Ｎ＋１以下の整数）の貫通孔に沿うＮ＋１個の第ｎ共通部分を有する。第２磁性体コア部におけるＮ個の中足部には、Ｎ本の制御線がそれぞれ巻回されている。
【００８１】
このノイズフィルタによれば、Ｎ本の制御線にそれぞれ直流電流又は低周波交流電流を流すことにより、Ｎ＋１個の貫通孔をそれぞれ包囲するように、第２磁性体コア部の一対の共通部及びＮ個の中足部にそれぞれ磁束が発生する。その結果、例えば、一対の共通部のうちの一方の共通部の第２ｎ−１共通部分では、一対の信号線に流れる比較的大きな直流電流又は低周波交流電流によって誘起される磁束と、制御線に流れる直流電流又は低周波交流電流によって誘起される磁束とが打ち消し合い、一対の共通部のうちの他方の共通部の第２ｎ共通部分では、一対の信号線に流れる比較的大きな直流電流又は低周波交流電流によって誘起される磁束と、制御線に流れる直流電流又は低周波交流電流に起因する磁束とが打ち消し合う。
【００８２】
その結果、一対の信号線に流れる電流が大きく、第２磁性体コア部において磁気飽和が生じても、一方の共通部の第２ｎ−１共通部分及び他方の共通部の第２ｎ共通部分の磁気飽和を抑制することができる。すなわち、一方の共通部と他方の共通部とでは、交互に共通部分の磁気飽和を抑制することができる。したがって、一方の共通部の第２ｎ−１共通部分、ｎ番目の中足部、他方の共通部の第２ｎ共通部分のジグザグ経路を経路とする非飽和磁路を形成することができ、一対の信号線に流れる電流が大きくても、一対の信号線に発生するインピーダンスの低下を抑制することができる。その結果、一対の信号線におけるノーマルモードノイズの低減効果の低下を抑制することができる。
【００８３】
また、第３の実施形態では、電流検出回路２１０及び電流供給回路２１１を電源装置２００とは別に設けた一例を示したが、電流検出回路２１０及び電流供給回路２１１は、電源装置２００におけるスイッチング制御回路と兼用されてもよい。図１４は、変形例に係るノイズフィルタの一例を示す回路図である。図１４に示すように、例えば、電流検出回路２１０と、電流供給回路２１１におけるコントローラ２１２とが、電源装置２００におけるスイッチング制御回路と兼用されてもよい。これによれば、電源装置の小型化が可能である。
【００８４】
また、第３の実施形態では、電流検出回路２１０は、一対の信号線３１，３２に流れる電流を検出するために電源装置２００の出力電流を検出したが、電源装置２００の入力電流、すなわち一対の信号線３１，３２に流れる電流を直接検出してもよい（図１５）。
【図面の簡単な説明】
【００８５】
【図１】本発明の第１の実施形態に係るノイズフィルタを示す斜視図である。
【図２】図１におけるII−II線に沿う断面図である。
【図３】第２磁性体コア部における磁気飽和状態を示す図である。
【図４】制御線に流す電流に対する一対の信号線のノーマルモードノイズの減衰量を示す図である。
【図５】ノイズフィルタのノーマルモードノイズの低減効果を測定するための測定系を示す図である。
【図６】ノイズフィルタのノーマルモードノイズの低減効果の測定結果を示す図である。
【図７】本発明の第２の実施形態に係るノイズフィルタ１Ａを示す斜視図である。
【図８】図７におけるVIII−VIII線に沿う断面図である。
【図９】本発明の第３の実施形態に係るノイズフィルタ１Ｂを示す図である。
【図１０】電流増幅回路を示す回路図である。
【図１１】変形例に係るノイズフィルタの断面図であって、図１に示すII−II線に沿う断面図である。
【図１２】変形例に係るノイズフィルタの断面図であって、図１に示すII−II線に沿う断面図である。
【図１３】変形例に係るノイズフィルタの断面図であって、図１に示すII−II線に沿う断面図である。
【図１４】変形例に係るノイズフィルタの一例を示す回路図である。
【図１５】変形例に係るノイズフィルタの一例を示す回路図である。
【符号の説明】
【００８６】
１，１Ａ，１Ｂ…ノイズフィルタ、１０…第１磁性体コア部、１０ａ…内面、１１…第１部分、１２…第２部分、１５…コモンモード用閉磁路、１６…第１閉磁路、１７…第２閉磁路、１８…第３閉磁路、２０，２０Ａ…磁性体コア部、３１，３２…信号線、４１，４２…制御線、５１，５２，５３…貫通孔、５１ａ，５２ａ，５３ａ…内面、６１，６２…中足部、７１，７２…突出部、８０，９０…一対の共通部、８１，９１…第１共通部分、８２，９２…第２共通部分、８３，９３…第３共通部分、１００…測定系、１０１…供給電源、１０２…パルス発生回路、１０３，１０４…ＤＣカット用容量素子、１０５…可変電流源、１０６…ローパスフィルタ、１０７…負荷抵抗、１０８…スペクトルアナライザ、２００…電源装置、２０１…供給電源、２０２…負荷、２１０…電流検出回路、２１１…電流供給回路、２１２…コントローラ、２１３…電流増幅回路。
【図１】
2009135225.tif 000003
【図２】
2009135225.tif 000004
【図４】
2009135225.tif 000005
【図５】
2009135225.tif 000006
【図７】
2009135225.tif 000007
【図８】
2009135225.tif 000008
【図９】
2009135225.tif 000009
【図１０】
2009135225.tif 000010
【図１１】
2009135225.tif 000011
【図１２】
2009135225.tif 000012
【図１３】
2009135225.tif 000013
【図１４】
2009135225.tif 000014
【図１５】
2009135225.tif 000015
【図３】
2009135225.tif 000016
【図６】
2009135225.tif 000017